(57)【要約】【課題】  送風ダクトにおける吹出側での運転音の低騒音化を図る。【解決手段】  上流側の円筒ダクト部１から幅方向に広がる送風流路部２を介して吹出口部３から空気流Ｗを吹き出すように構成された送風ダクトにおいて、前記送風流路部２における通路深さが、上流側から下流側にかけて次第に浅くなって喉部２ｃにおいて最も浅くなり且つ該喉部２ｃから前記吹出口部３にかけて次第に深くなるように構成して、通路深さが上流側から下流側にかけて次第に浅くなって喉部２ｃにおいて最も浅くなる送風流路部２を流れる空気流Ｗが、整流化され且つ内周面に密着して流れるようにしている。【選択図】        図４
2006038443.tif 000002
【特許請求の範囲】
【請求項１】
上流側の円筒ダクト部（１）から幅方向に広がる送風流路部（２）を介して吹出口部（３）から空気流（Ｗ）を吹き出すように構成された送風ダクトであって、前記送風流路部（２）における通路深さが、上流側から下流側にかけて次第に浅くなって喉部（２ｃ）において最も浅くなり且つ該喉部（２ｃ）から前記吹出口部（３）にかけて次第に深くなるように構成したことを特徴とする送風ダクト。
【請求項２】
前記喉部（２ｃ）における通路深さをＨ、前記円筒ダクト部（１）の内径をＤとしたとき、Ｈ＜Ｄとなるように設定したことを特徴とする請求項１記載の送風ダクト。
【請求項３】
０．３５≦Ｈ／Ｄ≦０．９となるように設定したことを特徴とする請求項２記載の送風ダクト。
【請求項４】
前記円筒ダクト部（１）の出口部（１ａ）と前記送風流路部（２）の入口部（２ａ）とを滑らかに接続したことを特徴とする請求項１、２および３のいずれか一項記載の送風ダクト。
【請求項５】
前記円筒ダクト部（１）を室外機（１２）側に接続する一方、前記吹出口部（３）を、室内機（１１）における熱交換器（１５）の吸込側に所定の隙間（Ｓ）を介して該熱交換器（１５）の放熱フィンと平行となるように対向配置したことを特徴とする請求項１、２、３および４のいずれか一項記載の送風ダクト。
【請求項６】
前記送風流路部（２）の出口部（２ｂ）を、前記吹出口部（３）に向かって上方に拡大するように構成したことを特徴とする請求項１、２、３、４および５のいずれか一項記載の送風ダクト。
【請求項７】
前記吹出口部（３）には、吹出空気流Ｗから塵埃等を除去するフィルター（６）を設けるとともに、該フィルター（６）の少なくとも上流面側には、多孔質の軟質材料からなるプレフィルター（６Ｂ）を設けたことを特徴とする請求項１、２、３、４、５および６のいずれか一項記載の送風ダクト。
【請求項８】
前記円筒ダクト部（１）の上流側に位置する流路を構成する連絡ホース（１９）における前記円筒ダクト部（１）の接続部位に形成された屈曲部には、エルボ（３３）を介設するとともに、該エルボ（３３）における曲率半径の大きい外側内周面には、吸音材（３４）を配設したことを特徴とする請求項１、２、３、４、５、６および７のいずれか一項記載の送風ダクト。
【請求項９】
前記円筒ダクト部（１）の内径（Ｄ0）を、前記エルボ（３３）の内径（Ｄ）よりも小さく設定したことを特徴とする請求項８記載の送風ダクト。
【請求項１０】
前記連絡ホース（１９）の適所には、消音器（３５）を介設したことを特徴とする請求項８および９のいずれか一項記載の送風ダクト。
【発明の詳細な説明】
【技術分野】
【０００１】
本願発明は、室外機と室内機とを接続するため等に使用される送風ダクトに関するものである。
【背景技術】
【０００２】
例えば、室外機に送風手段を内蔵した加湿ユニットを設置し、加湿空気を、送風ダクトを介して室内機に設置した吹出口部から室内空間に供給するようにしたものがある。
【０００３】
上記のような送風ダクトの場合、吹出口部が室内機の熱交換器の吸込側に対向配置されることとなっているため、吹出口部の開口面積を大きくする必要があるところから、上流側の円筒ダクト部から幅方向に広がる送風流路部を介して吹出口部から空気流を吹き出すように構成されている（特許文献１、２、３参照）。
【０００４】
【特許文献１】特開２００２−９８３６０号公報。
【０００５】
【特許文献２】特開２００２−９８３６１号公報。
【０００６】
【特許文献３】特開２００２−９８３６３号公報。
【発明の開示】
【発明が解決しようとする課題】
【０００７】
上記特許文献１〜３に開示されている送風ダクトと同様な構造のものとしては、図１５および図１６に示すものがある。
【０００８】
この場合、送風ダクトＡは、上流側の円筒ダクト部１から幅方向に広がる送風流路部２を介して矩形形状の大口径の吹出口部３から空気流Ｗを吹き出すように構成されているが、円筒ダクト部１の出口部１ａと送風流路部２の入口部２ａとの接続部が屈曲形成された急拡大部４とされている。すると、円筒ダクト部１から吹き出された空気流Ｗが送風流路部２の入口部２ａで、図１５に点線矢印ｗで示すように剥離し、送風流路部２の内周面に噴流状に衝突することとなり、大きな空力騒音を発生させるという不具合がある。
【０００９】
また、円筒ダクト部１の出口部１ａと送風流路部２の入口部２ａとの接続部が屈曲し、送風流路部２の通路深さＨが円筒ダクト部１の内径Ｄよりも急激に大きくなっているため、空気流の剥離が生じやすくなるとともに、吹出流れが送風流路部２の内面に沿いにくくなる。その結果、図１６に矢印ｗで示すように内周面で剥離し、送風流路部２の内周面に噴流状に衝突することとなり、大きな空力騒音を発生させるという不具合がある。
【００１０】
さらに、送風流路部２の出口部２ｂは、下方に傾斜する傾斜部５を介して吹出口部３に接続されているため、吹出空気流Ｗが傾斜部５において剥離し、該剥離により生ずる剥離流Ｅが吹出口部３の下流側に設置されるフィルター６と干渉して空力騒音を発生させるという不具合もある。
【００１１】
ところで、室外機における送風手段や空気搬送流路（即ち、送風ダクト）が改善され、十分に静音化されてきている現状においては、室内側の運転音の主要音源である送風ダクトの吹出側において発生する音が支配的となってきており、その改善が重要となってきている。
【００１２】
本願発明は、上記の点に鑑みてなされたもので、送風ダクトにおける吹出側での運転音の低騒音化を図ることを目的とするものである。
【課題を解決するための手段】
【００１３】
本願発明では、上記課題を解決するための第１の手段として、上流側の円筒ダクト部１から幅方向に広がる送風流路部２を介して吹出口部３から空気流Ｗを吹き出すように構成された送風ダクトにおいて、前記送風流路部２における通路深さが、上流側から下流側にかけて次第に浅くなって喉部２ｃにおいて最も浅くなり且つ該喉部２ｃから前記吹出口部３にかけて次第に深くなるように構成している。
【００１４】
上記のように構成したことにより、通路深さが上流側から下流側にかけて次第に浅くなって喉部２ｃにおいて最も浅くなる送風流路部２を流れる空気流Ｗは、整流化され且つ内周面に密着して流れることとなる。従って、発生する空力騒音が大幅に低減されることとなる。しかも、喉部２ｃから吹出口部３にかけて通路深さが次第に深くなる拡大流路となるようにように構成されているため、ディフューザ効果が期待できることとなり、吹出口部３側での圧力損失が過大となることもなく、空力騒音の低減に大いに寄与する。
【００１５】
本願発明では、さらに、上記課題を解決するための第２の手段として、上記第１の手段を備えた送風ダクトにおいて、前記喉部２ｃにおける通路深さをＨ、前記円筒ダクト部の内径をＤとしたとき、Ｈ＜Ｄとなるように設定することもでき、そのように構成した場合、円筒ダクト部１から送風流路部２に流れる空気流Ｗの整流化がより促進されることとなる。
【００１６】
本願発明では、さらに、上記課題を解決するための第３の手段として、上記第２の手段を備えた送風ダクトにおいて、０．３５≦Ｈ／Ｄ≦０．９となるように設定することもでき、そのように構成した場合、図５の特性図に示すように、室内側運転音の低減効果を確保することができる。
【００１７】
本願発明では、さらに、上記課題を解決するための第４の手段として、上記第１、第２又は第３の手段を備えた送風ダクトにおいて、前記円筒ダクト部１の出口部１ａと前記送風流路部２の入口部２ａとを滑らかに接続することもでき、そのように構成した場合、円筒ダクト部１から送風流路部２に流れる空気流Ｗの整流化がより一層促進されることとなる。
【００１８】
本願発明では、さらに、上記課題を解決するための第５の手段として、上記第１、第２、第３又は第４の手段を備えた送風ダクトにおいて、前記円筒ダクト部１を室外機１２側に接続する一方、前記吹出口部３を、室内機１１における熱交換器１５の吸込側に所定の隙間Ｓを介して該熱交換器１５の放熱フィンと平行となるように対向配置することもでき、そのように構成した場合、剥離による空力騒音も発生しないし、放熱フィンに対する圧力損失の増大もなくなり、室内側での運転音低減に大いに寄与する。
【００１９】
本願発明では、さらに、上記課題を解決するための第６の手段として、上記第１、第２、第３、第４又は第５の手段を備えた送風ダクトにおいて、前記送風流路部２の出口部２ｂを、前記吹出口部３に向かって上方に拡大するように構成することもでき、そのように構成した場合、吹出口部３における剥離の発生がより抑制されることとなり、室内側での運転音低減に大いに寄与する。
【００２０】
本願発明では、さらに、上記課題を解決するための第７の手段として、上記第１、第２、第３、第４、第５又は第６の手段を備えた送風ダクトにおいて、前記吹出口部３に、吹出空気流Ｗから塵埃等を除去するフィルター６を設けるとともに、該フィルター６の少なくとも上流面側に、多孔質の軟質材料からなるプレフィルター６Ｂを設けることもでき、そのように構成した場合、吹出空気流とフィルター６との干渉が多孔質の軟質材料からなるプレフィルター６Ｂにより緩和されることとなり、室内側での運転音低減により一層寄与する。
【００２１】
本願発明では、さらに、上記課題を解決するための第８の手段として、上記第１、第２、第３、第４、第５、第６又は第７の手段を備えた送風ダクトにおいて、前記円筒ダクト部１の上流側に位置する流路を構成する連絡ホース１９における前記円筒ダクト部１の接続部位に形成された屈曲部に、エルボ３３を介設するとともに、該エルボ３３における曲率半径の大きい外側内周面に、吸音材３４を配設することもでき、そのように構成した場合、上流側からの空気流がエルボ３３における曲率半径の大きい外側内周面に衝突したときに発生する干渉音が吸音材３４により吸音されることとなり、室内側での運転音低減により一層寄与する。
【００２２】
本願発明では、さらに、上記課題を解決するための第９の手段として、上記第８の手段を備えた送風ダクトにおいて、前記円筒ダクト部１の内径Ｄ0を、前記エルボ３３の内径Ｄよりも小さく設定することもでき、そのように構成した場合、円筒ダクト部１を流れる空気流が整流化されることとなり、両内径を同じとした場合に比べて運転音を低減させることができる。
【００２３】
本願発明では、さらに、上記課題を解決するための第１０の手段として、上記第８又は第９の手段を備えた送風ダクトにおいて、前記連絡ホース１９の適所に、消音器３５を介設することもでき、そのように構成した場合、連絡ホース１９を流れる空気流の管内通過音が消音器３５により低減されることとなり、さらなる運転音の低減を図ることができる。
【発明の効果】
【００２４】
本願発明の第１の手段によれば、上流側の円筒ダクト部１から幅方向に広がる送風流路部２を介して吹出口部３から空気流Ｗを吹き出すように構成された送風ダクトにおいて、前記送風流路部２における通路深さが、上流側から下流側にかけて次第に浅くなって喉部２ｃにおいて最も浅くなり且つ該喉部２ｃから前記吹出口部３にかけて次第に深くなるように構成して、通路深さが上流側から下流側にかけて次第に浅くなって喉部２ｃにおいて最も浅くなる送風流路部２を流れる空気流Ｗが、整流化され且つ内周面に密着して流れるようにしたので、発生する空力騒音が大幅に低減されるという効果がある。しかも、喉部２ｃから吹出口部３にかけて通路深さが次第に深くなる拡大流路となるようにように構成されているため、ディフューザ効果が期待できることとなり、吹出口部３側での圧力損失が過大となることもなく、空力騒音の低減に大いに寄与するという効果もある。
【００２５】
本願発明の第２の手段におけるように、上記第１の手段を備えた送風ダクトにおいて、前記喉部２ｃにおける通路深さをＨ、前記円筒ダクト部の内径をＤとしたとき、Ｈ＜Ｄとなるように設定することもでき、そのように構成した場合、円筒ダクト部１から送風流路部２に流れる空気流Ｗの整流化がより促進されることとなる。
【００２６】
本願発明の第３の手段におけるように、上記第２の手段を備えた送風ダクトにおいて、０．３５≦Ｈ／Ｄ≦０．９となるように設定することもでき、そのように構成した場合、図５の特性図に示すように、室内側運転音の低減効果を確保することができる。
【００２７】
本願発明の第４の手段におけるように、上記第１、第２又は第３の手段を備えた送風ダクトにおいて、前記円筒ダクト部１の出口部１ａと前記送風流路部２の入口部２ａとを滑らかに接続することもでき、そのように構成した場合、円筒ダクト部１から送風流路部２に流れる空気流Ｗの整流化がより一層促進されることとなる。
【００２８】
本願発明の第５の手段におけるように、上記第１、第２、第３又は第４の手段を備えた送風ダクトにおいて、前記円筒ダクト部１を室外機１２側に接続する一方、前記吹出口部３を、室内機１１における熱交換器１５の吸込側に所定の隙間Ｓを介して該熱交換器１５の放熱フィンと平行となるように対向配置することもでき、そのように構成した場合、剥離による空力騒音も発生しないし、放熱フィンに対する圧力損失の増大もなくなり、室内側での運転音低減に大いに寄与する。
【００２９】
本願発明の第６の手段におけるように、上記第１、第２、第３、第４又は第５の手段を備えた送風ダクトにおいて、前記送風流路部２の出口部２ｂを、前記吹出口部３に向かって上方に拡大するように構成することもでき、そのように構成した場合、吹出口部３における剥離の発生がより抑制されることとなり、室内側での運転音低減に大いに寄与する。
【００３０】
本願発明の第７の手段におけるように、上記第１、第２、第３、第４、第５又は第６の手段を備えた送風ダクトにおいて、前記吹出口部３に、吹出空気流Ｗから塵埃等を除去するフィルター６を設けるとともに、該フィルター６の少なくとも上流面側に、多孔質の軟質材料からなるプレフィルター６Ｂを設けることもでき、そのように構成した場合、吹出空気流とフィルター６との干渉が多孔質の軟質材料からなるプレフィルター６Ｂにより緩和されることとなり、室内側での運転音低減により一層寄与する。
【００３１】
本願発明の第８の手段におけるように、上記第１、第２、第３、第４、第５、第６又は第７の手段を備えた送風ダクトにおいて、前記円筒ダクト部１の上流側に位置する流路を構成する連絡ホース１９における前記円筒ダクト部１の接続部位に形成された屈曲部に、エルボ３３を介設するとともに、該エルボ３３における曲率半径の大きい外側内周面に、吸音材３４を配設することもでき、そのように構成した場合、上流側からの空気流がエルボ３３における曲率半径の大きい外側内周面に衝突したときに発生する干渉音が吸音材３４により吸音されることとなり、室内側での運転音低減により一層寄与する。
【００３２】
本願発明の第９の手段におけるように、上記第８の手段を備えた送風ダクトにおいて、前記円筒ダクト部１の内径Ｄ0を、前記エルボ３３の内径Ｄよりも小さく設定することもでき、そのように構成した場合、円筒ダクト部１を流れる空気流が整流化されることとなり、両内径を同じとした場合に比べて運転音を低減させることができる。
【００３３】
本願発明の第１０の手段におけるように、上記第８又は第９の手段を備えた送風ダクトにおいて、前記連絡ホース１９の適所に、消音器３５を介設することもでき、そのように構成した場合、連絡ホース１９を流れる空気流の管内通過音が消音器３５により低減されることとなり、さらなる運転音の低減を図ることができる。
【発明を実施するための最良の形態】
【００３４】
以下、添付の図面を参照して、本願発明の好適な実施の形態について詳述する。
【００３５】
第１の実施の形態
図１ないし図５には、本願発明の第１の実施の形態にかかる送風ダクトが示されている。
【００３６】
先ず、本願発明を実施するための最良の実施の形態に係る送風ダクトを備えた空気調和機の概略的な構成について説明する。
【００３７】
この空気調和機は、図１に示すように、例えば建物の壁１０の室内Ｒ側の壁面１０ａに取り付けられる室内機１１と、建物の外に設置される室外機１２とによって構成されている。
【００３８】
そして、前記室外機１２は、室外熱交換器や室外ファン（図示省略）などを収納した室外空調ユニット１３と換気ユニット１４とを備えて構成されている。また、室内機１１内には、室内熱交換器１５および室内ファン１６が収納されている。
【００３９】
前記各種熱交換器およびそれらの熱交換器相互間を各種冷凍機器を介して冷媒配管（図示省略）により接続して、有効な空調用の冷凍回路が構成されている。また、前記室外機１２側の換気ユニット１４と前記室内機１１との間には、前記換気ユニット１４からの外気を前記室内機１１側に供給するとともに、必要に応じて室内の空気を換気ユニット１４を介して室外へ排出するための送風ダクトＡが設けられている。
【００４０】
前記室内機１１には、内気吸込グリル１７および空気吹出口１８を有する本体ケーシング１１ａを備えており、該本体ケーシング１１ａ内には、室内熱交換器１５、室内ファン１６および前記送風ダクトＡの先端部に接続された外気吹出用の吹出ノズルＢが配設されている。
【００４１】
一方、前記室外空調ユニット１３には、図示されていないが、その本体ケーシング１３ａ内に位置して、圧縮機、四路切換弁、アキュムレータ、室外熱交換器、電動膨張弁、室外ファン等が設けられている。符号２０は室外空調ユニット１３の本体ケーシング１３ａの前面に設けられた空気吹出口である。
【００４２】
また、前記換気ユニット１４は、前記室外空調ユニット１３の本体ケーシング１３ａに対応した前後左右幅で所定の高さを有する偏平な箱形のケーシング１４ａを備えており、該ケーシング１４ａの前面側壁部左側寄りに外気吸込口２１、底壁部右端に外気供給用の空気吹出用流路部材２２を下方から挿入接続するための上下方向に貫通した開口２３、内側に換気ファン２５を設置するための空間２４がそれぞれ設けられている。
【００４３】
前記換気ファン２５は、ファンモータ２６、該ファンモータ２６により高速で回転駆動される羽根車２７、該羽根車２７を回転可能に収納したファンハウジング２８、該ファンハウジング２８の下面側に設けられ、前記羽根車２７の中心軸部分への空気吸込口２９を形成しているベルマウス３０等からなり、前記ファンモータ２６およびファンハウジング２８は、例えば前記ケーシング１４ａの底壁部上に所定の支持部材を介して支持固定されている。
【００４４】
また、前記羽根車２７は、例えば可及的に偏平な遠心羽根車からなり、上方側円板状のハブと下方側ドーナツ板状のシュラウドとの間に多数枚の羽根を回転方向に応じた所定の翼角、所定の翼間隔で周方向に並設して構成されている。
【００４５】
また、前記ベルマウス３０の断面Ｕ字状に曲げた空気吸込口２９側開口縁部内には、前記シュラウド側の空気流入側開口縁部が所定の隙間を保って相対回転可能に遊嵌されている。そして、それによって前記ファンハウジング２８内の送風通路のシール機能が実現されるようになっている。
【００４６】
さらに、前記ファンハウジング２８は、例えば平面スクロール形状をなし、各々半径を異にする複数個の円弧部の連続面からなり、その空気吹出口部分の通路形状は、スクロール部の最下流側に位置する円弧部の円弧面から所定の空気吹出方向（ケーシング１４ａの前面側右端方向）に接線を延ばした等径のものに構成されている。
【００４７】
そして、同空気吹出口の出口部分の底壁部（具体的には、ベルマウス３０の右端部分）には、空気吹出用流路部材２２との接続用開口部が設けられ、同開口部に対して、上方から下方に延びる空気吹出用流路部材２２の上端側空気流入口部３１が接続連通せしめられている。この空気吹出用流路部材２２は、前記ケーシング１４ａの底板部に形成された開口２３を貫通してストレートに下方に延びている。
【００４８】
以上のような構成では、今例えば前記ファンモータ２６が駆動されると、それに対応して前記羽根車２７が回転し、前記外気吸込口２９から吸い込まれた外気が、前記ファンハウジング２８の下面部側ベルマウス３０により形成される空気吸込口２９から羽根車２７内に吸い込まれ、その遠心方向に吹き出される。この遠心方向に吹き出された空気は、前記ファンハウジング２８がスクロール構造になっていることから、その前端部に位置して右側接線方向に延びる前記空気吹出口部分に集められて、その延長方向に吹き出される。
【００４９】
前記空気吹出用流路部材２２は、送風ダクトＡを介して室内機１１側に配置された吹出ノズルＢに接続されている。
【００５０】
前記吹出ノズルＢは、図２ないし図４に示すように、上流側の円筒ダクト部１から幅方向に広がる送風流路部２を介して矩形形状の大口径の吹出口部３から空気流Ｗを吹き出すように構成されている。
【００５１】
前記送風流路部２における通路深さは、上流側から下流側にかけて次第に浅くなって喉部２ｃにおいて最も浅くなり且つ該喉部２ｃから前記吹出口部３にかけて次第に深くなるように構成されている。前記喉部２ｃにおける通路深さをＨ、前記円筒ダクト部の内径をＤとしたとき、Ｈ＜Ｄとなるように設定するのが望ましい。
【００５２】
また、前記円筒ダクト部１の出口部１ａと前記送風流路部２の入口部２ａとは、円弧部７を介して滑らかに接続されている。
【００５３】
さらに、吹出ノズルＢの吹出口部３は、室内機１１における熱交換器１５の吸込側に所定の隙間Ｓを介して該熱交換器１５の放熱フィンと平行となるように対向配置されている。符号６はフィルターである。
【００５４】
上記のように構成された送風ダクトにおいては、次のような作用効果が得られる。
【００５５】
室外機１２における換気ユニット１４の運転により、送風ダクトＡを介して供給される空気流（即ち、外気）Ｗは、通路深さが上流側から下流側にかけて次第に浅くなって喉部２ｃにおいて最も浅くなる送風流路部２を流れる際に、整流化され且つ内周面に密着して流れることとなる。その結果、発生する空力騒音が大幅に低減されることとなる。
【００５６】
しかも、喉部２ｃから吹出口部３にかけて通路深さが次第に深くなる拡大流路となるようにように構成されているため、ディフューザ効果が期待できることとなり、吹出口部３側での圧力損失が過大となることもなく、空力騒音の低減に大いに寄与するという効果もある。
【００５７】
前記したように、喉部２ｃにおける通路深さをＨ、前記円筒ダクト部の内径をＤとしたとき、Ｈ＜Ｄとなるように設定するのが望ましく、その場合、円筒ダクト部１から送風流路部２に流れる空気流Ｗの整流化がより促進されることとなる。
【００５８】
ところで、図１において、室内機１１の前方１ｍの位置から下方に０．８ｍ下がった位置に集音マイク３２を設置して、円筒ダクト部の内径Ｄを２３ｍｍとするとともに、喉部２ｃにおける通路深さＨを変化させて、室内機１１側の運転音を測定したところ、図５の結果が得られた。ここで、風量は０．３９ｍ3／ｍｉｎとした。
【００５９】
上記測定結果によれば、０．３５≦Ｈ／Ｄ≦０．９の領域において運転音が−１ｄＢＡ以下となっており、室内側運転音の低減効果を確保することができることが分かる。
【００６０】
さらに、吹出ノズルＢにおける吹出口部３を、室内機１１における熱交換器１５の吸込側に所定の隙間Ｓを介して該熱交換器１５の放熱フィンと平行となるように対向配置すると、剥離による空力騒音も発生しないし、放熱フィンに対する圧力損失の増大もなくなり、室内側での運転音低減に大いに寄与する。
【００６１】
さらにまた、吹出ノズルＢにおける送風流路部２の出口部２ｂを、前記吹出口部３に向かって上方に拡大するように構成すると、吹出口部３における剥離の発生がより抑制されることとなり、室内側での運転音低減に大いに寄与する。
【００６２】
以上記述した実施の形態（即ち、請求項１ないし請求項６に係る実施の形態）は、先の明細書および図面に開示されているものである。
【００６３】
以下に、新たに追加された実施の形態（即ち、請求項７ないし請求項１０に係る実施の形態）について説明する。
【００６４】
第２の実施の形態
図６ないし図１２には、本願発明の第２の実施の形態にかかる送風ダクトが示されている。
【００６５】
本実施の形態にかかる送風ダクトが使用されている空気調和機は、第１の実施の形態にかかる送風ダクトが使用されている空気調和機と同様に、例えば建物の壁１０の室内Ｒ側の壁面１０ａに取り付けられる室内機１１と、建物の外に設置される室外機１２とによって構成されている（図６参照）。
【００６６】
そして、前記室外機１２は、室外熱交換器や室外ファン（図示省略）などを収納した室外空調ユニット１３と換気ユニット１４とを備えて構成されている。また、室内機１１内には、室内熱交換器１５および室内ファン１６が収納されている。
【００６７】
前記各種熱交換器およびそれらの熱交換器相互間を各種冷凍機器を介して冷媒配管（図示省略）により接続して、有効な空調用の冷凍回路が構成されている。また、前記室外機１２側の換気ユニット１４と前記室内機１１との間には、前記換気ユニット１４からの外気を前記室内機１１側に供給するとともに、必要に応じて室内の空気を換気ユニット１４を介して室外へ排出するための送風ダクトＡが設けられている。該送風ダクトＡは、連絡ホース１９と後述する吹出ノズルＢとからなっている。
【００６８】
前記室内機１１には、内気吸込グリル１７および空気吹出口１８を有する本体ケーシング１１ａを備えており、該本体ケーシング１１ａ内には、室内熱交換器１５、室内ファン１６および前記送風ダクトＡの先端部に接続された外気吹出用の吹出ノズルＢが配設されている。
【００６９】
一方、前記室外空調ユニット１３には、図示されていないが、その本体ケーシング１３ａ内に位置して、圧縮機、四路切換弁、アキュムレータ、室外熱交換器、電動膨張弁、室外ファン等が設けられている。符号２０は室外空調ユニット１３の本体ケーシング１３ａの前面に設けられた空気吹出口である。
【００７０】
また、前記換気ユニット１４は、前記室外空調ユニット１３の本体ケーシング１３ａに対応した前後左右幅で所定の高さを有する偏平な箱形のケーシング１４ａを備えており、該ケーシング１４ａの前面側壁部左側寄りに外気吸込口２１、底壁部右端に外気供給用の空気吹出用流路部材２２を下方から挿入接続するための上下方向に貫通した開口２３、内側に換気ファン２５を設置するための空間２４がそれぞれ設けられている。
【００７１】
前記換気ファン２５は、ファンモータ２６、該ファンモータ２６により高速で回転駆動される羽根車２７、該羽根車２７を回転可能に収納したファンハウジング２８、該ファンハウジング２８の下面側に設けられ、前記羽根車２７の中心軸部分への空気吸込口２９を形成しているベルマウス３０等からなり、前記ファンモータ２６およびファンハウジング２８は、例えば前記ケーシング１４ａの底壁部上に所定の支持部材を介して支持固定されている。
【００７２】
また、前記羽根車２７は、例えば可及的に偏平な遠心羽根車からなり、上方側円板状のハブと下方側ドーナツ板状のシュラウドとの間に多数枚の羽根を回転方向に応じた所定の翼角、所定の翼間隔で周方向に並設して構成されている。
【００７３】
また、前記ベルマウス３０の断面Ｕ字状に曲げた空気吸込口２９側開口縁部内には、前記シュラウド側の空気流入側開口縁部が所定の隙間を保って相対回転可能に遊嵌されている。そして、それによって前記ファンハウジング２８内の送風通路のシール機能が実現されるようになっている。
【００７４】
さらに、前記ファンハウジング２８は、例えば平面スクロール形状をなし、各々半径を異にする複数個の円弧部の連続面からなり、その空気吹出口部分の通路形状は、スクロール部の最下流側に位置する円弧部の円弧面から所定の空気吹出方向（ケーシング１４ａの前面側右端方向）に接線を延ばした等径のものに構成されている。
【００７５】
そして、同空気吹出口の出口部分の底壁部（具体的には、ベルマウス３０の右端部分）には、空気吹出用流路部材２２との接続用開口部が設けられ、同開口部に対して、上方から下方に延びる空気吹出用流路部材２２の上端側空気流入口部３１が接続連通せしめられている。この空気吹出用流路部材２２は、前記ケーシング１４ａの底板部に形成された開口２３を貫通してストレートに下方に延びている。
【００７６】
以上のような構成では、今例えば前記ファンモータ２６が駆動されると、それに対応して前記羽根車２７が回転し、前記外気吸込口２９から吸い込まれた外気が、前記ファンハウジング２８の下面部側ベルマウス３０により形成される空気吸込口２９から羽根車２７内に吸い込まれ、その遠心方向に吹き出される。この遠心方向に吹き出された空気は、前記ファンハウジング２８がスクロール構造になっていることから、その前端部に位置して右側接線方向に延びる前記空気吹出口部分に集められて、その延長方向に吹き出される。
【００７７】
前記空気吹出用流路部材２２は、送風ダクトＡを介して室内機１１側に配置された吹出ノズルＢに接続されている。
【００７８】
前記吹出ノズルＢは、図７ないし図９に示すように、上流側の円筒ダクト部１から幅方向に広がる送風流路部２を介して矩形形状の大口径の吹出口部３から空気流Ｗを吹き出すように構成されている。
【００７９】
前記送風流路部２における通路深さは、上流側から下流側にかけて次第に浅くなって喉部２ｃにおいて最も浅くなり且つ該喉部２ｃから前記吹出口部３にかけて次第に深くなるように構成されている。前記喉部２ｃにおける通路深さをＨ、前記円筒ダクト部の内径をＤとしたとき、Ｈ＜Ｄとなるように設定するのが望ましい。
【００８０】
また、前記円筒ダクト部１の出口部１ａと前記送風流路部２の入口部２ａとは、円弧部７を介して滑らかに接続されている。
【００８１】
さらに、吹出ノズルＢの吹出口部３は、室内機１１における熱交換器１５の吸込側に所定の隙間Ｓを介して該熱交換器１５の放熱フィンと平行となるように対向配置されている。符号６は吹出空気流Ｗから塵埃等を除去するフィルターである。
【００８２】
前記フィルター６は、図１０および図１１に示すように、合成樹脂（例えば、ポリプロピレン）の一体成形品であって、矩形形状の枠体６ａと該枠体６と一体に形成された波形のろ材６ｂとからなるフィルター本体６Ａと、該フィルター本体６Ａの上流側に配置された多孔質の軟質材料からなるプレフィルター６Ｂとによって構成されている。該プレフィルター６Ｂとしては、例えば細い繊維状部材の薄い積層体を採用するのが望ましい。このようにすると、吹出空気流とフィルター６との干渉がプレフィルター６Ｂにより緩和されることとなり、室内側での運転音低減（プレフィルター６Ｂを用いない場合に比べて、１ｄＢＡ低減できる）により一層寄与する。なお、フィルター本体６Ａの下流側にもプレフィルター６Ｂを設ける場合もある。
【００８３】
また、前記円筒ダクト部１の上流側に位置する流路を構成する連絡ホース１９における前記円筒ダクト部１の接続部位に形成された屈曲部には、エルボ３３が介設されており、該エルボ３３における曲率半径の大きい外側内周面には、吸音材３４が配設されている（図１２参照）。このようにすると、上流側からの空気流がエルボ３３における曲率半径の大きい外側内周面に衝突したときに発生する干渉音が吸音材３４により吸音されることとなり、室内側での運転音低減により一層寄与する。
【００８４】
また、前記円筒ダクト部１の内径Ｄは、前記エルボ３３の内径Ｄ0よりも小さく設定されている（図９および図１２参照）。このようにすると、円筒ダクト部１を流れる空気流が整流化されることとなり、両内径を同じとした場合に比べて運転音を低減させることができる。ところで、円筒ダクト部１の長さＬと円筒ダクト部１の内径Ｄとの関係について、種々テストしたところ、図１３に示すように、Ｌ／Ｄ≧２において放射音の低減効果が現れることが分かった。
【００８５】
また、前記連絡ホース１９の適所（例えば、空気吹出用流路部材２２の下方位置）には、消音器３５が介設されている。該消音器３５は、図１４に示すように、前記連絡ホース１９の途中に介設された円筒形状の消音器本体３５ａと、該消音器本体３５ａの内周面に配設された消音材（例えば、発泡ポリエチレン等）３５ｂとからなっており、前記消音器本体３５ａの長さＬ0は、消音効果のみを求める場合長い方がよいが、コスト等を考慮すると５０ｍｍあるいは１００ｍｍとするのが望ましく、１００ｍｍとするのがより望ましい。このようにすると、連絡ホース１９を流れる空気流の管内通過音が消音器３５により低減されることとなり、さらなる運転音の低減を図ることができる。なお、消音器３５の設置位置は、連絡ホース１９の適所とされるが、前記エルボ３３より上流側とするのが望ましい。
【００８６】
なお、連絡ホース１９としては、内面に凹凸形状を有する可撓性のものを採用するのが消音効果が得られる点で好ましい。
【図面の簡単な説明】
【００８７】
【図１】本願発明の第１の実施の形態にかかる送風ダクトを備えた空気調和機の全体的な構成を示す該略図である。
【図２】本願発明の第１の実施の形態にかかる送風ダクトにおける吹出ノズル部分の斜視図である。
【図３】本願発明の第１の実施の形態にかかる送風ダクトにおける吹出ノズル部分の一部を切り欠いた背面図である。
【図４】本願発明の第１の実施の形態にかかる送風ダクトにおける吹出ノズル部分の縦断面図である。
【図５】本願発明の第１の実施の形態にかかる送風ダクトを採用した空気調和機の室内機における運転音低減効果を示す特性図である。
【図６】本願発明の第２の実施の形態にかかる送風ダクトを備えた空気調和機の全体的な構成を示す該略図である。
【図７】本願発明の第２の実施の形態にかかる送風ダクトにおける吹出ノズル部分の斜視図である。
【図８】本願発明の第２の実施の形態にかかる送風ダクトにおける吹出ノズル部分の一部を切り欠いた背面図である。
【図９】本願発明の第２の実施の形態にかかる送風ダクトにおける吹出ノズル部分の縦断面図である。
【図１０】本願発明の第２の実施の形態にかかる送風ダクトにおける吹出ノズル部分に配設されるフィルターの拡大断面図である。
【図１１】本願発明の第２の実施の形態にかかる送風ダクトにおける吹出ノズル部分に配設されるフィルターの一部を切除した拡大正面図である。
【図１２】本願発明の第２の実施の形態にかかる送風ダクトにおけるエルボ部分の拡大断面図である。
【図１３】本願発明の第２の実施の形態にかかる送風ダクトを採用した空気調和機の室内機における運転音低減効果を示す特性図である。
【図１４】本願発明の第２の実施の形態にかかる送風ダクトにおける連絡ホースに介設される消音器の拡大断面図である。
【図１５】従来の送風ダクトにおける吹出ノズル部分の一部を切り欠いた背面図である。
【図１６】従来の送風ダクトにおける吹出ノズル部分の縦断面図である。
【符号の説明】
【００８８】
１は円筒ダクト部
１ａは出口部
２は送風流路部
２ａは入口部
２ｂは出口部
２ｃは喉部
３は吹出口部
６はフィルター
６Ａはフィルター本体
６Ｂはプレフィルター
１１は室内機
１２は室外機
１５は熱交換器
１９は連絡ホース
３３はエルボ
３４は消音材
３５は消音器
Ｓは隙間
Ｗは空気流
【図１】
2006038443.tif 000003
【図２】
2006038443.tif 000004
【図３】
2006038443.tif 000005
【図４】
2006038443.tif 000006
【図５】
2006038443.tif 000007
【図６】
2006038443.tif 000008
【図７】
2006038443.tif 000009
【図８】
2006038443.tif 000010
【図９】
2006038443.tif 000011
【図１０】
2006038443.tif 000012
【図１１】
2006038443.tif 000013
【図１２】
2006038443.tif 000014
【図１３】
2006038443.tif 000015
【図１４】
2006038443.tif 000016
【図１５】
2006038443.tif 000017
【図１６】
2006038443.tif 000018